(57)【要約】【課題】運搬などのときに全体が迅速に分解および組み立てができる格子棚を提供する。【解決手段】複数の立て板と複数の横板とが互いに交差して嵌合していて前後方向に開口した格子空間を有する枠体と、前記枠体の少なくとも一つの格子空間の一対の対向する側面上にそれぞれ設けられ、間隔を開けて並べられて前後方向に沿い、且つ対をなす他方の側面上のものと対応して前記格子空間を一連の間隔を開けた収納空間に分けている複数の案内／保持レールを有する保持手段とからなっていて、対応する一対の案内／保持レールに沿って前記収納空間に平板体が前から差し込まれて保持されることができる格子棚を提供する。【選択図】図２
2006247263.tif 000002
【特許請求の範囲】
【請求項１】
複数の立て板と複数の横板とが互いに交差して嵌合していて前後方向に開口した複数の格子空間を有する枠体と、前記枠体の少なくとも一つの格子空間の一対の対向する側面上に設けられ、それぞれ間隔を開けて並べられて前後方向に沿い、且つ対をなす他方の側面上のものと対応して前記格子空間を一連の間隔を開けた収納空間に分ける複数の案内／保持レールをそれぞれ有する保持手段とからなっていて、対応する一対の案内／保持レールに沿って前記収納空間に平板体が差し込まれて保持されることができることを特徴とする格子棚。
【請求項２】
前記立て板と前記横板とは、それらの各一側縁上に形成されていてその開口の幅が連結相手の肉厚よりやや大きいスリットで互いに交差嵌合していることを特徴とする請求項１に記載の格子棚。
【請求項３】
前記枠体の後側面に止め棒が取り付けられて、前記枠体の少なくとも一つの格子空間の後開口を横切っていることを特徴とする請求項１に記載の格子棚。
【請求項４】
前記保持手段は、二枚の長尺形の保持板からなっており、
この二枚の保持板は、前記枠体における格子空間の一対の対向する側面上に互いに対向して固設されており、
前記保持板の互いに対向する面に、それぞれ、前記複数の案内／保持レールが前記保持板の長手方向に間隔を開け、且つ、他方の保持板の面上の複数の案内／保持レールと互いに対応するように分布して設置してあること特徴とする請求項１に記載の格子棚。
【請求項５】
前記保持手段は、前後方向に開口し、且つ上下左右の４つの互いに連続した内側面を有する枠部材からなっており、
該枠部材は、前記格子空間内に前記枠部材の開口が前後方向に向くように挿入固定されており、
前記枠部材の一対の対向する内側面に、それぞれ、前記複数の案内／保持レールが前記内側面の延伸方向に間隔を開け、且つ、他方の内側面上の複数の案内／保持レールと互いに対応するように分布して設置してあることを特徴とする請求項１に記載の格子棚。
【請求項６】
前記保持手段はほぞとほぞ穴の嵌合構造で前記複数の立て板及び前記複数の横板のうちの対向する少なくとも一対に結合固定されていることを特徴とする請求項１に記載の格子棚。
【請求項７】
それぞれ所定の肉厚を有し、且つ両側面を有する長尺形のものであって、その長手方向上の一側縁に沿うように前記両側面を貫通する貫通孔と、開口幅が前記肉厚よりやや大きく、且つ前記長手方向と直角に交差すると共に前記一側縁に開口したスリットとが形成してある複数の長板材と、
両側面を有する長尺形のものであって、その一側面に長手方向に間隔をあけ、且つそれぞれ該一側面を横断した複数の案内／保持レールが設けてあり、他方の側面に前記貫通孔と嵌合することができる複数の突起が形成してある複数の保持板とを備えていて、
前記スリットにより、前記複数の長板材のうち一部を立て板、一部を横板とするように互いに交差して嵌合して、前後方向に開口した複数の格子空間を有する枠体を作り、
そして、前記貫通孔と前記突起とを嵌合させて、前記枠体の少なくとも一つの格子空間の一対の対向する側面上に前記保持板を一対の保持手段として取り付けることにより、請求項１の格子棚を組み立てることができることを特徴とする格子棚のＤＩＹセット。
【請求項８】
それぞれ所定の肉厚を有し、且つ両側面を有する長尺形のものであって、その長手方向上の一側縁に沿うように前記両側面を貫通した貫通孔と、開口幅が前記肉厚よりやや大きく、且つ前記長手方向と直角に交差すると共に前記一側縁に開口したスリットとが形成されている複数の長板材と、
前後方向に開口し、且つ上下左右の互いに連続する四対の内外側面を有し、これらの内側面のうちの一対の対向する内側面上に、それぞれ、複数の案内／保持レールが前記内側面の延伸方向に間隔を開け、且つ、対をなす他方の内側面上の複数の案内／保持レールと互いに対応するように分布して設置してある枠部材とを備えていて、
前記スリットにより、前記複数の長板材のうち一部を立て板、一部を横板とするように互いに交差して嵌合して、前後方向に開口した複数の格子空間を有する枠体を作り、
そして、前記枠体の少なくとも一つの格子空間に前記枠部材を保持手段としてその開口が前後方向に向くように挿入固定することにより、請求項１の格子棚を組み立てることができることを特徴とする格子棚のＤＩＹセット。
【発明の詳細な説明】
【技術分野】
【０００１】
本発明は、格子棚及びそのＤＩＹ(Do It Yourself)セットに関し、特にＣＤ、ＶＣＤ、ＤＶＤ、ＭＤなどの記憶媒体を収納するのに適用され、迅速に分解および組み立てができる格子棚及びそのＤＩＹセットに関する。
【背景技術】
【０００２】
記憶媒体を収納するための棚は、図１に示すようなものが一般に知られている。この種の棚は、枠体１１と、前記枠体１１内に設置されていて前記枠体１1を前方へ開口した例えば２つの室に区切った仕切り板１２と、前記枠体１１の両内側面及び前記仕切り板１２の両面に突設され、且つ左右互いに対応している保持手段としての複数の案内／保持レール１１１、１２１とから構成されている。このような棚では、枠体１１の開口から前記複数の案内／保持レール１１１、１２１に沿って記憶媒体を出し入れ可能に収納できる。
【０００３】
しかしながら、このような棚は、枠体及び保持手段が固定的で着脱不能に設けられているので、運搬するときにかなりのスペースを取るだけでなく、厚さの異なる記憶媒体を収納しようとしても、異なる間隔をあけた保持手段を有する別の棚を買うほかはないという欠点もある。
【発明の開示】
【発明が解決しようとする課題】
【０００４】
そこで、本発明の第一の目的は、運搬などのときに全体が迅速に分解および組み立てができる格子棚を提供することにある。
【０００５】
また、本発明の第二の目的は、素人でも、容易に自ら前記格子棚を組み立てることができる格子棚のＤＩＹセットを提供することにある。
【課題を解決するための手段】
【０００６】
前記第一の目的を達成するために、本発明は、複数の立て板と複数の横板とが互いに交差して嵌合していて前後方向に開口した複数の格子空間を有する枠体と、前記枠体の少なくとも一つの格子空間の一対の対向する内側面上に設けられ、それぞれ間隔を開けて並べられて前後方向に沿い、且つ対をなす他方の側面上のものと対応して前記格子空間を一連の間隔を開けた収納空間に分ける複数の案内／保持レールを有する保持手段とからなっていて、対応する一対の案内／保持レールに沿って前記収納空間に平板体が差し込まれて保持されることができることを特徴とする格子棚を提供する。
【０００７】
前記保持手段は、二枚の長尺形の保持板からなっており、この二枚の保持板は、前記枠体における格子空間の一対の対向する側面上に固設されており、前記保持板の互いに対向している面に、それぞれ、前記複数の案内／保持レールが前記保持板の長手方向に間隔を開け、且つ、他方の保持板の面上の複数の案内／保持レールと互いに対応するように分布して設置してあるものでも良い。
【０００８】
また、前記保持手段は、前後方向に開口し、且つ上下左右の四つの互いに連続した内側面を有する枠部材からなり、該枠部材は、その開口が前後方向に向くように前記格子空間内に前から挿入固定されており、また、前記枠部材の一対の対向する内側面上に、それぞれ、前記複数の案内／保持レールが前記内側面の延伸方向に間隔を開け、且つ、対をなす他方の内側面上の複数の案内／保持レールと互いに対応するように分布して設置してあるものでも良い。
【０００９】
前記第二の目的を達成するために、本発明は、それぞれ所定の肉厚を有し、且つ両側面を有する長尺形のものであって、その長手方向上の一側縁に沿うように前記両側面を貫通した複数の貫通孔と、開口幅が前記肉厚よりやや大きく、且つ前記長手方向と直角に交差すると共に前記一側縁に開口したスリットとが形成されている複数の長板材と、両側面を有する長尺形のものであって、その一側面に長手方向に間隔をあけ、且つそれぞれ該一面を横断した複数の案内／保持レールが設けてあり、他方の側面に前記貫通孔と嵌合することができる複数の突起が形成してある複数の保持板とを備えていて、前記スリットにより、前記複数の長板材のうち一部を立て板、一部を横板とするように互いに交差して嵌合し、前後方向に開口した複数の格子空間を有する枠体を作り、そして、前記貫通孔と前記突起とを嵌合させて、前記枠体の少なくとも一つの格子空間の一対の対向する内側面上に前記保持板を一対の保持手段として取り付けることにより、前記格子棚を組み立てることができる格子棚のＤＩＹセットを提供する。
【００１０】
また、それぞれ所定の肉厚を有し、且つ両側面を有する長尺形のものであって、その長手方向上の一側縁に沿うように複数の前記両側面を貫通した貫通孔と、開口幅が前記肉厚よりやや大きく、且つ前記長手方向と直角に交差すると共に前記一側縁に開口したスリットとが形成されている複数の長板材と、前後方向に開口し、且つ上下左右の互いに連続した四対の内外側面を有し、これらの内側面のうち一対の対向する内側面上に、それぞれ、複数の案内／保持レールが前記内側面の延伸方向に間隔を開け、且つ、対をなす他方の内側面上の複数の案内／保持レールと互いに対応するように分布して設置してある枠部材とを備えていて、前記スリットにより、前記複数の長板材のうち一部を立て板、一部を横板とするように互いに交差して嵌合し、前後方向に開口した複数の格子空間を有する枠体を作り、そして、前記枠体の少なくとも一つの格子空間に前記枠部材を保持手段としてその開口が前後方向に向くように挿入固定することにより、前記格子棚を組み立てることができる、もう１つの格子棚のＤＩＹセットを提供する。
【発明の効果】
【００１１】
前記構造からなる格子棚及び前記ＤＩＹセットによる格子棚は、前記複数の立て板と複数の横板とが互いに交差して嵌合していて、釘やねじなどを使っていないので、機械工具を必要とせずに、その嵌合を解除するだけで格子棚全体を分解することができる。
【００１２】
また、前記枠部材を保持手段とした場合、記憶媒体を前記複数の案内／保持レールに沿って差し込んで収納すれば、前記枠部材を引き出すことで、一度に多数の収納した記憶媒体を出し入れすることができる。
【００１３】
さらに、前記構造からなる格子棚のＤＩＹセットは、嵌合により、迅速に格子棚全体を組み立てることができるうえ、自分の好きなように前記長板材を立て板としたり横板としたりして、格子空間のサイズやレイアウトが異なる枠体を組み立てることができる。また、保持手段としての前記保持板を左右に対応させたり上下に対応させたり、保持手段としての前記枠部材を混ぜて使用したりすることで、必要に応じて各種の格子棚を組み立てることができる。
【００１４】
さらにまた、前記保持手段として複数の案内／保持レール同士の間隔が違った何種類かのものを用意すれば、厚さの異なる記憶媒体を収納できる特有な格子棚が得られる。
【発明を実施するための最良の形態】
【００１５】
以下、本発明を図面に示す実施形態を参照して説明する。
図２は、本発明の格子棚にかかる第１の実施形態の分解斜視図である。図３は、同実施形態の組立済みの状態を示す斜視図である。図４は、該組立済みの状態の要部を示す部分断面図である。図２と図３に示すように、第１の実施形態の格子棚２は、主として、枠体２１と保持手段２２とからなっている。
【００１６】
前記枠体２１は、複数の立て板２１１と複数の横板２１２とがスリット２１１Ａ、２１２Ａで互いに交差して嵌合していて、前後方向に開口した複数の格子空間２３を有する。スリット２１１Ａ、２１２Ａは、立て板２１１と横板２１２の一側縁上にそれぞれ形成されていて、その開口の幅が連結相手の肉厚よりやや大きくしてある。
【００１７】
前記保持手段２２は、セット毎に二枚の長尺形の保持板２２１、２２１からなっており、枠体２１の所望の格子空間２３の一対の対向する側面上に設けられる。この二枚の保持板２２１、２２１は、図４に示すように、ほぞ２２３とほぞ穴２１３の嵌合構造によって、複数の立て板２１１及び複数の横板２１２のうちの対向する少なくとも一対に結合固定されている。また、二枚の保持板２２１、２２１の互いに対向している面に、それぞれ、複数の案内／保持レール２２２が保持板２２１、２２１の長手方向に間隔を開け、且つ、他方の保持板２２１の面上の複数の案内／保持レール２２２と互いに対応して該当する格子空間２３を一連の間隔を開けた収納空間に分けるように分布して設置してある。
【００１８】
これにより、対応している一対の案内／保持レール２２２、２２２に沿ってＣＤなどの平板体３が前記間隔を開けた収納空間に前から差し込まれ保持されることができるのである。
【００１９】
また、枠体２１の後側面に止め棒２５が取り付けられて、枠体２１の少なくとも一つの格子空間２３の後開口を横切っているので、後へ押されすぎて平板体３が格子空間２３の後開口から落ちてしまうことを防止することができる。
【００２０】
次に、本発明の格子棚にかかる第２の実施形態を説明する。図５は、本発明の格子棚にかかる第２の実施形態の分解斜視図である。図６は、同実施形態の組立済みの状態を示す斜視図である。図５と図６に示すように、第２の実施形態の格子棚２Ａの構造は、第１の実施形態とほぼ同じであるが、その相違点は保持手段にあるのである。即ち、第２の実施形態においては、保持手段２２は、前後方向に開口し、且つ上下左右の４つの互いに連続した内側面を有する枠部材２２４からなる。この枠部材２２４は、その開口が前後方向に向くように前から格子空間２３内に挿入固定されている。また、この枠部材２２４の一対の対向する内側面には、それぞれ、前記複数の案内／保持レール２２２が該内側面の延伸方向に間隔を開け、且つ、対をなす他方の内側面上の複数の案内／保持レール２２２と互いに対応して枠部材２２４内を一連の間隔を開けた収納空間に分けるように分布して設置してある。
【００２１】
これにより、対応している一対の案内／保持レール２２２、２２２に沿ってＣＤなどの平板体３が前記間隔を開けた収納空間に前から差し込まれ保持されることができるのである。
【００２２】
本発明はまた、今流行っている日曜大工を趣味としている人や省コストを望む人にとって、前記格子棚を組み立てることができる二種の格子棚のＤＩＹセットも提供する。
【００２３】
もっと詳しく説明すると、その一種は、それぞれ所定の肉厚を有し、且つ両側面を有する長尺形のものであって、その長手方向上の一側縁に沿うように前記両側面を貫通した貫通孔２１３と、開口幅が前記肉厚よりやや大きく、且つ前記長手方向と直角に交差すると共に前記一側縁に開口した複数のスリット２１１Ａ、２１２Ａとがそれぞれ形成されている複数の長板材（２１１、２１２）と、両側面を有する長尺形のものであって、その一側面に長手方向に間隔をあけ、且つ該一側面をそれぞれ横断した複数の案内／保持レール２２２が設けてあり、他方の側面に複数の貫通孔２１３と嵌合することができる複数の突起２２３が形成してある複数の保持板２２１とを備えていて、スリット２１１Ａ、２１２Ａにより、複数の長板材（２１１、２１２）のうち一部を立て板２１１、一部を横板２１２とするように互いに交差して嵌合して、前後方向に開口した複数の格子空間２３を有する枠体２１を作り、そして、貫通孔２１３と突起２２３とを嵌合させて、枠体２１の少なくとも一つの格子空間２３の一対の対向する側面上に保持板２２１を一対の保持手段２２として取り付けることにより、前記格子棚２を組み立てることができる格子棚のＤＩＹセットである。
【００２４】
更に、もう一種は、それぞれ所定の肉厚を有し、且つ両側面を有する長尺形のものであって、その長手方向上の一側縁に沿うように前記両側面を貫通した複数の貫通孔２１３と、開口幅が前記肉厚よりやや大きく、且つ前記長手方向と直角に交差すると共に前記一側縁に開口した複数のスリット２１１Ａ、２１２Ａとがそれぞれ形成されている複数の長板材（２１１、２１２）と、前後方向に開口し、且つ上下左右の互いに連続した四対の内外側面（ここでは、対をなす内側面と外側面とが４つ存在することを意味する。）を有し、これらの内側面のうちの対向する一対の内側面上に、それぞれ、複数の案内／保持レール２２２が該内側面の延伸方向に間隔を開け、且つ、対をなす他方の内側面上の複数の案内／保持レール２２２と互いに対応するように分布して設置してある枠部材２２４とを備えていて、スリット２１１Ａ、２１２Ａにより、複数の長板材（２１１、２１２）のうち一部を立て板２１１、一部を横板２１２とするように互いに交差して嵌合して、前後方向に開口した複数の格子空間２３を有する枠体２１を作り、そして、枠体２１の少なくとも一つの格子空間２３に枠部材２２４を保持手段２２としてその開口が前後方向に向くように前から格子空間２３内に挿入固定することにより、格子棚２Ａを組み立てることができる格子棚のＤＩＹセットである。
【００２５】
以上、本発明の好適な実施形態について説明したが、本発明は前記実施形態に限定されず、本発明の精神の範囲内において種々の変形や変更が可能であることは言うまでもない。
【００２６】
本発明の格子棚及び本発明のＤＩＹセットによる格子棚は、運搬などのときに全体が迅速に分解および組み立てができ、非常に省スペースである。
【００２７】
また、前記構造による格子棚のＤＩＹセットは、消費者にとって、コストダウンを図れるだけでなく、必要に応じて各種の格子棚を組み立てることができるものである。
【図面の簡単な説明】
【００２８】
【図１】従来の記憶媒体を収納するための棚の一例を示す斜視図。
【図２】本発明の格子棚にかかる第１の実施形態の分解斜視図。
【図３】同実施形態の組立済みの状態を示す斜視図。
【図４】該組立済みの状態の要部を示す部分断面図。
【図５】本発明の格子棚にかかる第２の実施形態の分解斜視図。
【図６】同実施形態の組立済みの状態を示す斜視図。
【符号の説明】
【００２９】
２        格子棚
２１      枠体
２１１    立て板（長板材）
２１１Ａ  スリット
２１２    横板（長板材）
２１２Ａ  スリット
２１３    ほぞ穴（貫通孔）
２２      保持手段
２２１    保持板
２２２    案内／保持レール
２２３    ほぞ（突起）
２２４    枠部材
２３      格子空間
２５      止め棒
２Ａ      格子棚
３        平板体
【図１】
2006247263.tif 000003
【図２】
2006247263.tif 000004
【図３】
2006247263.tif 000005
【図４】
2006247263.tif 000006
【図５】
2006247263.tif 000007
【図６】
2006247263.tif 000008